(57)【要約】【課題】反射板を用いることなく光を出射面側に反射させることができる導光板を提供する。【解決手段】導光板１は、無色透明のアクリル板から成る導光板基材２が用いられており、この導光板基材２の厚み方向の一方の面２ａ全面にドットパターン３が印刷されている。ドットパターン３は、平面視形状が円形の複数のドット３０で構成されている。各ドット３０は、光拡散層３１、反射層３２、不透光層３３、が順に重ねられて形成されている。各ドット３０においては、不透光層３３が光拡散層３１及び反射層３２よりも面積が大きく形成され、かつ、光拡散層３１及び反射層３２が不透光層３３からはみ出していない。光源の光が入射面から導光板基材２内に入射すると、この光が導光板基材２内で反射を繰り返して導光板基材２内に拡散し、光拡散層３１の部位で導光板基材２から光拡散層３１に導かれた後反射層３２で反射して、出射面２ｂ全体から光が出射する。【選択図】図４
2015118899.tif 000002
【特許請求の範囲】
【請求項１】
透光性材料により板状に形成された導光板基材を有する導光板であって、
前記導光板基材の厚み方向の一方の面にドットパターンが形成されており、
前記ドットパターンの各ドットは、光拡散層、反射層、不透光層、が順に重ねられて形成され、
各ドットにおいて前記不透光層が前記光拡散層及び前記反射層よりも面積が大きく形成され、かつ、前記光拡散層及び前記反射層が前記不透光層からはみ出していない
ことを特徴とする導光板。
【請求項２】
請求項１に記載の導光板と、
前記導光板基材の端面に対向配置された光源と、
前記導光板及び前記光源を保持する保持部材と、
を備えたことを特徴とする導光板アセンブリ。
【請求項３】
導光板基材の前記一方の面に前記ドットパターンによる意匠が形成された導光板が一対用いられ、
前記一対の導光板が、前記一方の面が向かい合う向きで重ねられた
ことを特徴とする請求項２に記載の導光板アセンブリ。
【発明の詳細な説明】
【技術分野】
【０００１】
本発明は、入射面から入射した光を拡散させて出射面から出射する導光板、及び、前記導光板を備えた導光板アセンブリに関する。
【背景技術】
【０００２】
図６は、従来の導光板を用いた面照明装置の断面図である（特許文献１を参照。）。この面照明装置３１０は、板状に形成された導光板３０１と、導光板３０１の厚み方向の一方の面３０１ａに重ねられた反射板３０３と、導光板３０１の厚み方向の他方の面３０１ｂに重ねられた拡散板３０２と、導光板３０１の端面に対向配置された光源３０５と、これらを保持した保持部材３０６と、を備えている。
【０００３】
このような面照明装置３１０は、光源３０５からの光が導光板３０１内に入射し、この光が導光板３０１内で反射を繰り返して導光板３０１内に拡散し、拡散板３０２の表面全体から点線矢印方向に均一な光を出射する。
【先行技術文献】
【特許文献】
【０００４】
【特許文献１】特開２０１２−２４８５１８号公報
【発明の概要】
【発明が解決しようとする課題】
【０００５】
しかしながら、上述した面照明装置３１０は、導光板３０１及び光源３０５の他に、導光板３０１内の光を他方の面３０１側（すなわち出射面側）に反射させるために反射板３０３が不可避の構成であり、部品点数が多くなってしまうという問題があった。
【０００６】
そこで、本発明の目的は、反射板を用いることなく光を出射面側に反射させることができる導光板、及び、前記導光板を備えた導光板アセンブリを提供することにある。
【課題を解決するための手段】
【０００７】
請求項１に記載された発明は、透光性材料により板状に形成された導光板基材を有する導光板であって、前記導光板基材の厚み方向の一方の面にドットパターンが形成されており、前記ドットパターンの各ドットは、光拡散層、反射層、不透光層、が順に重ねられて形成され、各ドットにおいて前記不透光層が前記光拡散層及び前記反射層よりも面積が大きく形成され、かつ、前記光拡散層及び前記反射層が前記不透光層からはみ出していないことを特徴とする導光板である。
【０００８】
請求項２に記載された発明は、請求項１に記載の導光板と、前記導光板基材の端面に対向配置された光源と、前記導光板及び前記光源を保持する保持部材と、を備えたことを特徴とする導光板アセンブリである。
【０００９】
請求項３に記載された発明は、請求項２に記載された発明において、導光板基材の前記一方の面に前記ドットパターンによる意匠が形成された導光板が一対用いられ、前記一対の導光板が、前記一方の面が向かい合う向きで重ねられたことを特徴とするものである。
【発明の効果】
【００１０】
請求項１に記載された発明によれば、透光性材料により板状に形成された導光板基材を有する導光板であって、前記導光板基材の厚み方向の一方の面にドットパターンが形成されており、前記ドットパターンの各ドットは、光拡散層、反射層、不透光層、が順に重ねられて形成され、各ドットにおいて前記不透光層が前記光拡散層及び前記反射層よりも面積が大きく形成され、かつ、前記光拡散層及び前記反射層が前記不透光層からはみ出していないので、反射板を用いることなく光を導光板基材の厚み方向の他方の面側（すなわち出射面側）に反射させることができる。
【００１１】
請求項２に記載された発明によれば、請求項１に記載の導光板と、前記導光板基材の端面に対向配置された光源と、前記導光板及び前記光源を保持する保持部材と、を備えているので、反射板を用いることなく光を導光板基材の厚み方向の他方の面側（すなわち出射面側）に反射させることができる。よって、部品点数が少ない導光板アセンブリを提供することができる。
【００１２】
請求項３に記載された発明によれば、導光板基材の前記一方の面に前記ドットパターンによる意匠が形成された導光板が一対用いられ、前記一対の導光板が、前記一方の面が向かい合う向きで重ねられているので、一方の導光板側から導光板アセンブリを見た際には、一対の導光板のうち前記一方の導光板に形成された意匠のみが視認され、当該意匠以外の部分は透明のように視認される。又、他方の導光板側から導光板アセンブリを見た際には、一対の導光板のうち前記他方の導光板に形成された意匠のみが視認され、当該意匠以外の部分は透明のように視認される。そのため、透明な板でありながら両面それぞれ独立した意匠が視認される。よって、斬新な演出が可能な導光板アセンブリを提供することができる。
【図面の簡単な説明】
【００１３】
【図１】本発明の第１の実施形態にかかる導光板アセンブリの斜視図である。
【図２】図１中のＡ−Ａ線に沿った断面図である。
【図３】図２に示された導光板の模式図である。
【図４】図３に示されたドットの模式図である。
【図５】本発明の第２の実施形態にかかる導光板アセンブリの斜視図である。
【図６】従来の導光板を用いた面照明装置の断面図である。
【発明を実施するための形態】
【００１４】
（第１の実施形態）
本発明の第１の実施形態にかかる「導光板」及び「導光板アセンブリ」を、図１〜４を参照して説明する。
【００１５】
図１，２に示す導光板アセンブリ１０は、導光板１と、光源５と、これら導光板１及び光源５を保持する保持部材６と、を備えている。
【００１６】
導光板１は、透光性材料により長方形板状に形成された導光板基材２と、この導光板基材２の厚み方向の一方の面２ａ全面に形成されたドットパターン３と、導光板基材２の上面を成す端面２ｄに貼付された反射テープ４と、で構成されている。導光板基材２の下面を成す端面２ｃは、光源５からの光が入射する入射面である。導光板基材２の厚み方向の他方の面２ｂは、光が出射する出射面である。又、導光板基材２は、本実施形態では、無色透明のアクリル板が用いられている。
【００１７】
光源５は、本実施形態では、白色ＬＥＤが用いられている。又、光源５は複数用いられており、導光板基材２の入射面（端面）２ｃに対向配置されていると共に、入射面２ｃの長手方向に沿って間隔をあけて配置されている。
【００１８】
保持部材６は、ベース８と、フレーム７と、で構成されている。ベース８は、合成樹脂で構成されており、平板部８０と平板部８０から立設した立設部８１と、を有している。フレーム７は、アルミニウム等の不透光性材料で構成されている。フレーム７は、上方に開口し、導光板１の下端部が差し込まれる溝７０と、下方に開口し、立設部８１が差し込まれる溝７１と、を有している。又、上記複数の光源５は、溝７０の底面に取り付けられている。
【００１９】
ドットパターン３は、図３に示すように、複数のドット３０で構成されている。これらドット３０の平面視形状は、本実施形態では円形であるが、四角形、五角形等の多角形や、楕円形、星形、その他不定形状を含む各種形状であってもよい。これら複数のドット３０は、出射面２ｂから出射する光を均一化するために、光源５に近い入射面２ｃ側では面積が小さく、光源５から離れるにしたがって徐々に面積が大きくなるように形成されている。すなわち、ドットパターン３の密度（面積基準）は、光源５から離れるにしたがって徐々に疎から密になっている。ただし、反射テープ４近傍ではドット３０の大きさを調整してもよい。
【００２０】
ドットパターン３の各ドット３０は、図４に示すように、光拡散層３１、反射層３２、不透光層３３、が印刷等公知の手段により順に重ねられて形成されている。光拡散層３１は、主にシリカ粉末、ビーズ等の光拡散剤により構成されている。反射層３２は、主に酸化チタンにより構成されており、本実施形態では白色となっている。不透光層３３は、光を透過させない材質により構成されており、本実施形態では黒色となっている。不透光層３３は、不透光性であれば、例えばシルバー色であってもよい。不透光層３３の材質としては、各種顔料や染料、これらを含む塗料やインク、アルミニウム、クロム、鉄等の金属薄膜等を挙げることができる。
【００２１】
さらに、各ドット３０においては、不透光層３３が光拡散層３１及び反射層３２よりも面積が大きく形成され、かつ、光拡散層３１及び反射層３２が不透光層３３からはみ出していない。すなわち、図４に示すように、光拡散層３１及び反射層３２は、略等しい直径Ｄ１に形成されており、不透光層３３は、光拡散層３１及び反射層３２の直径Ｄ１よりも大きい直径Ｄ２に形成されている。そして、不透光層３３は、光拡散層３１及び反射層３２を透過した光が導光板基材２の面２ａ側に漏れないように、光拡散層３１及び反射層３２を完全に覆っている。
【００２２】
又、上記光拡散層３１及び反射層３２の直径Ｄ１として好ましい範囲は、０．２〜３．０ｍｍであり、上記不透光層３３の直径Ｄ２として好ましい範囲は、直径Ｄ１＋０．３〜０．５ｍｍである。なお、図４においては、説明のために各層の厚みを誇張して描いているが、実際には、導光板基材２の厚みに比して遥かに薄膜状である。そのため、不透光層３３は、図４においては光拡散層３１及び反射層３２の外縁でこれらとは垂直方向に回り込んだ形状となっているが、実際にはもっと薄層であるため微視的に見ても前記外縁近傍でなだらかな形状となっている。各層の厚みとしては、それぞれの層としての機能が奏され得る厚みであればよく、特に制限はされないが、大略、０．１〜５００μｍの範囲から選択される。
【００２３】
上記構成の導光板アセンブリ１０は、光源５からの光が入射面２ｃから導光板基材２内に入射し、この光が導光板基材２内で反射を繰り返して導光板基材２内に拡散し、光拡散層３１の部位で導光板基材２から光拡散層３１に導かれた後反射層３２で反射して、出射面２ｂから図１，２中の点線矢印方向に光を出射する。本実施形態ではドットパターン３を導光板基材２の全面に形成しているので、出射面２ｂ全面がドットパターン状に均一に発光するが、ドットパターン３に意匠を持たせれば、出射面２ｂに当該意匠が浮かび上がるように発光する。
【００２４】
このように導光板アセンブリ１０は、反射板及び拡散板を用いることなく光を出射面２ｂ側に反射させることができるので、部品点数を少なくできる。又、導光板アセンブリ１０は、反射板及び拡散板を用いていないことから、出射面２ｂ側から見た際には白色発光して見えるが、裏の面２ａ側から見た際には光がほとんど確認されず、導光板１の反対側が透けて見える。
【００２５】
この導光板アセンブリ１０は、液晶ディスプレイのバックライトや植物栽培用の照明等の各種照明装置に用いることができる他、光源５の色を変更したりドットパターン３を工夫することにより、例えば、観賞用のオブジェに用いることもできる。又、出射面２ｂの裏側から見た際に導光板１の反対側が透けて見える作用を利用して、シースルーエレベータ等にも用いることができる。
【００２６】
なお、上記導光板アセンブリ１０は、光拡散層３１が拡散板（図６を参照。）の代わりに形成されているが、出射面２ｂに拡散板を重ねて使用することも可能である。その場合、拡散板によって光が均一化されるため、各ドット３０が視認されない。
【００２７】
（第２の実施形態）
本発明の第２の実施形態にかかる「導光板」及び「導光板アセンブリ」を、図５を参照して説明する。なお、図５において、前述した第１の実施形態と同一構成部分には同一符号を付して説明を省略する。
【００２８】
図５に示す導光板アセンブリ１１０は、看板として使用されるものであり、同一構成の一対の導光板１０１と、図示しない複数の光源と、一対の導光板１０１の下端部を保持するとともに複数の前記光源が収容される保持部材１０６と、を備えている。
【００２９】
各導光板１０１は、無色透明のアクリル樹脂により長方形板状に形成された導光板基材１０２が用いられており、この導光板基材１０２の厚み方向の一方の面１０２ａに、ドットパターン３による意匠が形成されている。図示例の意匠は「ＡＢＣ」の文字である。これら文字の部分（図面の黒塗り部分）がドットパターン３で構成されている。ドットパターン３は、第１の実施形態で説明した複数のドット３０（図３，４を参照。）で構成されている。各ドット３０の構成も第１の実施形態と同様である。すなわち、第１の実施形態では、導光板基材２の面２ａ全面にドットパターン３が印刷されていたが、本実施形態では、導光板基材１０２の面１０２ａのうち「ＡＢＣ」の文字部分のみにドットパターン３が印刷されている。
【００３０】
このような一対の導光板１０１は、それぞれの導光板基材１０２の面１０２ａが向かい合う向きで重ねられている。又、図５中の符号１０２ｂは、導光板基材１０２の厚み方向の他方の面であり、光が出射する出射面である。
【００３１】
上記複数の光源は、本実施形態では、赤色ＬＥＤが用いられている。これら複数の光源は、一対の導光板基材１０２の下端面（入射面）と対向するように保持部材１０６の内部に配置されていると共に、導光板基材１０２の下端面の長手方向に沿って間隔をあけて配置されている。
【００３２】
上記構成の導光板アセンブリ１１０は、光源からの光が各導光板基材１０２の下端面（入射面）から各導光板基材１０２内に入射し、この光が各導光板基材１０２内で反射を繰り返して各導光板基材１０２内に拡散し、光拡散層の部位で導光板基材１０２から光拡散層に導かれた後反射層で反射して（光拡散層、反射層については図４の符号３１、３２を参照。）、各出射面１０２ｂから光を出射する。
【００３３】
すなわち、一方の導光板１０１側から導光板アセンブリ１１０を見た際には、一対の導光板１０１のうち一方の導光板１０１に形成された「ＡＢＣ」の文字のみが赤色に発光して視認され、当該意匠以外の部分は透明のように視認される。又、他方の導光板１０１側から導光板アセンブリ１１０を見た際には、一対の導光板１０１のうち他方の導光板１０１に形成された「ＡＢＣ」の文字のみが赤色に発光して視認され、当該意匠以外の部分は透明のように視認される。
【００３４】
このように、導光板アセンブリ１１０は、一見して透明の板の両面に「ＡＢＣ」の文字が描かれているにもかかわらず、一方側から見て反対側の文字が透けず、かつ、透明の板の反対側に位置する物や景色などは透けて見えるという斬新な演出ができる。
【００３５】
上述した第２の実施形態では、一対の導光板１０１に同一の意匠（「ＡＢＣ」の文字）が形成されていたが、本発明では、一対の導光板１０１に異なる意匠が形成されていてもよい。例えば、一方の導光板１０１に「ＡＢＣ」の文字が形成され、他方の導光板１０１に「ＤＥＦ」の文字が形成されていてもよい。
【００３６】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３７】
１，１０１ 導光板
２，１０２  導光板基材
３  ドットパターン
１０，１１０  導光板アセンブリ
３０  ドット
３１  光拡散層
３２  反射層
３３  不透光層
【図１】
2015118899.tif 000003
【図２】
2015118899.tif 000004
【図３】
2015118899.tif 000005
【図４】
2015118899.tif 000006
【図５】
2015118899.tif 000007
【図６】
2015118899.tif 000008